(57)【要約】【課題】作業者は手で握柄杆体の基部を持ち、草にしゃがみ姿勢で対峙し、このしゃがみ姿勢で握柄杆体を左右前後に移動させて刃盤体の裏面を地面に略水平に左右前後の全方向に移動させると、刃盤体の外周縁部の刃部により雑草を切断して刈り取ることができ、このため、しゃがみ姿勢で握柄杆体を手前に引いてのみ刃体の内方縁部の刃部により草を刈り取る草刈鎌に比べ、左右前後の全方向に移動させて刃盤体の外周縁部の刃部により雑草を切断して刈り取ることができ、かつ、頻繁に作業姿勢を変える必要もなくなり、それだけ、除草作業効率を向上することができると共に労苦を軽減することができ、しかも、右利き、左利きなどの利き手に関係なく使用することができ、使用の利便性並びに使用の快適性を高めることができる。【解決手段】握柄杆体１の先端部に刃盤体２を設け、刃盤体の外周縁部に刃部３を形成してなる。【選択図】図１
0003134948.tif 000002
【実用新案登録請求の範囲】
【請求項１】
握柄杆体の先端部に刃盤体を設け、該刃盤体の外周縁部に刃部を形成してなることを特徴とする除草具。
【請求項２】
上記握柄杆体の長さはしゃがみ姿勢で除草作業可能な長さに設定されていることを特徴とする請求項１記載の除草具。
【請求項３】
上記握柄杆体は上記刃盤体の盤面に対して起立する起立部及び該起立部から斜め上方に向かう斜杆部からなることを特徴とする請求項１又は２記載の除草具。
【請求項４】
上記握柄杆体の基部にグリップ部を設けてなることを特徴とする請求項１〜３のいずれか１項に記載の除草具。
【請求項５】
上記刃盤体の外周縁部に複数個の凹刃部を形成してなることを特徴とする請求項１〜４のいずれか１項に記載の除草具。
【請求項６】
上記刃盤体の盤面に複数個の通穴を形成してなることを特徴とする請求項１〜５のいずれか１項に記載の除草具。
【考案の詳細な説明】
【技術分野】
【０００１】
本考案は、例えば主に畑や庭、公園、路肩等に生えている雑草を人力で刈り取る際に用いられる除草具に関するものである。
【背景技術】
【０００２】
従来、この種の除草具として、握柄杆体の先端部に三日月状の刃体を取付け、刃体の内方縁部に刃部を形成してなる構造の所謂草刈鎌が知られている。
【特許文献１】実用新案登録第３０９２９２４号
【考案の開示】
【考案が解決しようとする課題】
【０００３】
しかしながら上記従来構造の場合、しゃがみ姿勢で握柄杆体を手前に引いてのみ刃体の内方縁部の刃部により草を刈り取ることになり、このため、作業者は刈り取るべき草の位置に合わせながらしゃがみ姿勢から立位姿勢を経て移動して再びしゃがみ姿勢を取るなどして作業姿勢を逐次変えながら移動して作業することになり、それだけ、作業効率が低下すると共に作業者に対し作業姿勢の変更に伴う労苦を強いることになるという不都合を有している。
【課題を解決するための手段】
【０００４】
本考案はこれらの不都合を解決することを目的とするもので、本考案のうちで、請求項１記載の考案は、握柄杆体の先端部に刃盤体を設け、該刃盤体の外周縁部に刃部を形成してなることを特徴とする除草具にある。
【０００５】
又、請求項２記載の考案は、上記握柄杆体の長さはしゃがみ姿勢で除草作業可能な長さに設定されていることを特徴とするものであり、又、請求項３記載の考案は、上記握柄杆体は上記刃盤体の盤面に対して起立する起立部及び該起立部から斜め上方に向かう斜杆部からなることを特徴とするものであり、又、請求項４記載の考案は、上記握柄杆体の基部にグリップ部を設けてなることを特徴とするものであり、又、請求項５記載の考案は、上記刃盤体の外周縁部に複数個の凹刃部を形成してなることを特徴とするものであり、又、請求項６記載の考案は、上記刃盤体の盤面に複数個の通穴を形成してなることを特徴とするものである。
【考案の効果】
【０００６】
本考案は上述の如く、請求項１記載の考案にあっては、作業者は手で握柄杆体の基部を持ち、草にしゃがみ姿勢で対峙し、このしゃがみ姿勢で握柄杆体を左右前後に移動させて刃盤体の裏面を地面に略水平に左右前後の全方向に移動させると、刃盤体の外周縁部の刃部により雑草を切断して刈り取ることができ、このため、しゃがみ姿勢で握柄杆体を手前に引いてのみ刃体の内方縁部の刃部により草を刈り取る草刈鎌に比べ、左右前後の全方向に移動させて刃盤体の外周縁部の刃部により雑草を切断して刈り取ることができ、かつ、頻繁に作業姿勢を変える必要もなくなり、それだけ、除草作業効率を向上することができると共に労苦を軽減することができ、しかも、右利き、左利きなどの利き手に関係なく使用することができ、使用の利便性並びに使用の快適性を高めることができる。
【０００７】
又、請求項２記載の考案にあっては、上記握柄杆体の長さはしゃがみ姿勢で除草作業可能な長さに設定されているから、楽なしゃがみ姿勢で除草作業を行うことができ、又、請求項３記載の考案にあっては、上記握柄杆体は上記刃盤体の盤面に対して起立する起立部及び起立部から斜め上方に向かう斜杆部からなるので、作業者のしゃがみ姿勢における除草作業を楽に行うことができ、又、請求項４記載の考案にあっては、上記握柄杆体の基部にグリップ部を設けてなるから、上記刃盤体の左右前後の全方向への移動を容易に行うことができ、又、請求項５記載の考案にあっては、上記刃盤体の外周縁部に複数個の凹刃部を形成してなるから、凹刃部により草を囲むように保持した状態で刈り取ることができて除草効率を高めることができ、又、請求項６記載の考案にあっては、上記刃盤体の盤面に複数個の通穴を形成してなるから、全重量の軽量化を軽減を図ることができる。
【考案を実施するための最良の形態】
【０００８】
図１乃至図１０は本考案の実施の形態例を示し、図１乃至図７は第一形態例、図８は第二形態例、図９、図１０は第三形態例である。
【０００９】
図１乃至図７の実施の第一形態例において、１は握柄杆体であって、この場合、握柄杆体１は金属製にして、その長さはしゃがみ姿勢で除草作業可能な長さに設定され、その先端部に金属製の円盤状の刃盤体２を溶接により固着し、この刃盤体２の外周縁部に鋭利な刃部３を形成して構成している。
【００１０】
この場合、上記握柄杆体１は上記刃盤体２の盤面に対して起立する起立部１ａ及び起立部１ａから斜め上方に向かう斜杆部１ｂからなり、握柄杆体１の基部に滑り止め凹部４ａを有するグリップ部４を取付けて構成している。
【００１１】
具体的には、刃盤体２の外径Ｄは５ｃｍ〜１５ｃｍ、握柄杆体１の外径ｄは５ｍｍ〜１２ｍｍ、長さＬは２５ｍｍ〜４５ｍｍ、握柄杆体１の折曲角度θは２５度〜４０度が望ましく、この場合、刃盤体２の外径Ｄは約１０ｃｍ、握柄杆体１は外径ｄが約８ｍｍ、管厚さｍｍ、長さＬは約４０ｃｍのパイプ材を用い、折曲角度θは約３５度に形成している。
【００１２】
又、この場合、上記刃盤体２の外周縁部に内弧縁部が上記刃部３と同様な刃となっている複数個の半月状の凹刃部２ａ・・・を形成し、かつ、刃盤体２の盤面に複数個の通穴２ｂ・・を形成している。
【００１３】
この実施の第一形態例は上記構成であるから、図７の如く、作業者Ｍは手Ｍ1で握柄杆体１の基部のグリップ部４を持ち、草Ｗにしゃがみ姿勢で対峙し、このしゃがみ姿勢で握柄杆体１を左右前後に移動させて円盤状の刃盤体２の裏面を地面に略水平に左右前後の全方向に移動させると、刃盤体２の外周縁部の刃部３により雑草Ｗを根から切断して刈り取ることができ、又、例えば、根張りの強い草は突くか、刃部３を斜めにして叩き込む等して除草することもでき、このため、しゃがみ姿勢で柄体を手前に引いてのみ刃体の内方縁部の刃部により草を刈り取る草刈鎌に比べ、左右前後の全方向に移動させて刃盤体２の外周縁部の刃部３により雑草Ｗを根から切断して刈り取ることができ、かつ、頻繁に作業姿勢を変える必要もなくなり、それだけ、除草作業効率を向上することができると共に労苦を軽減することができ、しかも、右利き、左利きなどの利き手に関係なく使用することができ、使用の利便性並びに使用の快適性を高めることができる。
【００１４】
この場合、上記握柄杆体１の長さＬはしゃがみ姿勢で除草作業可能な長さに設定されているから、楽なしゃがみ姿勢で除草作業を行うことができ、又、この場合、上記握柄杆体１は上記刃盤体２の盤面に対して起立する起立部１ａ及び起立部１ａから斜め上方に向かう斜杆部１ｂからなるので、作業者Ｍのしゃがみ姿勢における除草作業を楽に行うことができ、又、この場合、上記握柄杆体１の基部にグリップ部４を設けてなるから、上記刃盤体２の左右前後の全方向への移動を容易に行うことができ、又、この場合、上記刃盤体２の外周縁部に複数個の凹刃部２ａを形成してなるから、この凹刃部２ａにより草Ｗを囲むように保持した状態で刈り取ることができ、引っ掛かりにすぐれ、除草効率を高めることができ、又、この場合、上記刃盤体２の盤面に複数個の通穴２ｂを形成してなるから、全重量の軽量化を軽減を図ることができる。
【００１５】
図８の第二形態例は刃盤体の別例構造を示し、この場合、上記第一形態例に比べて、上記上記刃盤体２の外周縁部に複数個の半月状の凹刃部２ａ・・・を形成し、複数個の通穴２ｂ・・を形成しない構造としている。
【００１６】
図９、図１０の第三形態例は別例構造を示し、この場合、上記刃盤体２の外周縁部に複数個の半月状の凹刃部２ａ・・・を形成せず、刃盤体２の盤面に複数個の通穴２ｂ・・を形成し、かつ、着脱機構Ｋとして、握柄杆体１の先端部に螺子部１ｃを形成し、円盤体１の中心部に雌螺子部２ｃを形成し、螺子部１ｃにナット１ｄを螺着し、握柄杆体１の先端部を円盤体２に螺着するようにしている。
【００１７】
これら実施の第二及び第三形態例にあっても、上記第一形態例と同様な作用効果を得ることができ、第三形態例においては、さらに、大小サイズや形状の異なる刃盤体２を用意し、共通な握柄杆体１に着脱機構Ｋにより各種の刃盤体２を着脱交換することができ、使用の利便性を高めることができる。
【００１８】
尚、本考案は上記実施の形態例に限られるものではなく、例えば、握柄杆体１、刃盤体２、刃部３の形状や材質、着脱機構Ｋの構造等は適宜変更して設計されるものである。
【００１９】
以上、所期の目的を充分達成することができる。
【図面の簡単な説明】
【００２０】
【図１】本考案の実施の第一形態例の全体斜視図である。
【図２】本考案の実施の第一形態例の全体側面図である。
【図３】本考案の実施の第一形態例の全体平面図である。
【図４】本考案の実施の第一形態例の部分断面図である。
【図５】本考案の実施の第一形態例の部分平断面図である。
【図６】本考案の実施の第一形態例の使用状態図である。
【図７】本考案の実施の第一形態例の使用状態図である。
【図８】本考案の実施の第二形態例の全体斜視図である。
【図９】本考案の実施の第三形態例の全体斜視図である。
【図１０】本考案の実施の第三形態例の部分断面図である。
【符号の説明】
【００２１】
１    握柄杆体
１ａ    起立部
１ｂ    斜杆部
２    刃盤体
２ａ    凹刃部
２ｂ    通穴
３    刃部
４    グリップ部
【図１】
0003134948.tif 000003
【図２】
0003134948.tif 000004
【図３】
0003134948.tif 000005
【図４】
0003134948.tif 000006
【図５】
0003134948.tif 000007
【図６】
0003134948.tif 000008
【図７】
0003134948.tif 000009
【図８】
0003134948.tif 000010
【図９】
0003134948.tif 000011
【図１０】
0003134948.tif 000012